(57)【要約】【課題】【解決手段】  本発明は、ネットワークノード間で、ＵＥ送信器の必要な追加最大電力低減に関連した情報を含むＡ−ＭＰＲ等のセル固有パラメータを交換することに関する。ネットワークノードは、無線基地局か、又は、アクセスゲートウェイ（ａＧＷ）によって例示される無線ネットワークコントローラもしくはコアネットワークノード等の他のネットワークノードとすることができる。ネットワークノード間で、必要な追加最大電力低減の情報を有するこのセルに固有のパラメータを交換することによって、セル固有パラメータはサービス中のセルの無線基地局に提供され、これは、サービス中のセルからターゲットセルへの接続移行の前にサービス中のセルがＵＥに対してターゲットセルのセル固有パラメータを送信可能であることを示す。この結果、ＵＥは正しいセル固有パラメータによってターゲットセルへの伝送を開始することができ、ターゲットセルにおいて帯域外エミッション要件を満足させることができる。【選択図】  図２
2011501503.tif 000002
【特許請求の範囲】
【請求項１】
無線通信ネットワークのネットワークノードのための方法であって、前記ネットワークノードが、少なくとも１つのセルにサービスするようになされ、かつ前記少なくとも１つのセルの１つに位置する少なくとも１つのユーザ機器を無線制御するようになされ、
更に別のネットワークノードにサービスされるセルに関連したセル固有パラメータを受信するステップ（３０１）であって、前記セル固有パラメータが、前記ネットワークノードによって制御されるユーザ機器の送信器の必要な追加最大電力低減に関連した情報を含む、ステップと、
前記受信したセル固有パラメータを、前記ネットワークノードによって制御される前記ユーザ機器に送信して、前記ユーザ機器が前記更に別のネットワークノードに接続移行される場合に前記セル固有パラメータを用いることを可能とするステップ（３０３）と、
を特徴とする、方法。
【請求項２】
前記セル固有パラメータが前記ネットワークノードによってトランスペアレントに受信される、請求項１に記載の方法。
【請求項３】
前記セル固有パラメータがバックグラウンドプロセスによって受信される、請求項１から２のいずれかに記載の方法。
【請求項４】
前記追加最大電力低減が前記サービス中のセルのものに比べて不変である場合には、前記セル固有パラメータがフラグビットによって表される、請求項１から３のいずれかに記載の方法。
【請求項５】
前記ネットワークノードが無線基地局である、請求項１から４のいずれかに記載の方法。
【請求項６】
前記セル固有パラメータを前記ユーザ機器に送信する場合に、前記受信したセル固有パラメータをシステム情報に含ませるステップ（３０２）を更に含む、請求項５に記載の方法。
【請求項７】
前記更に別のネットワークノードが無線基地局である、請求項１から６のいずれかに記載の方法。
【請求項８】
前記セル固有パラメータがＸ２インタフェース上で更に別の無線基地局から受信される、請求項７に記載の方法。
【請求項９】
前記セル固有パラメータがアクセスゲートウェイを介して前記更に別のネットワークノードから受信される、請求項７に記載の方法。
【請求項１０】
前記セル固有パラメータが無線ネットワークコントローラを介して前記更に別のネットワークノードから受信される、請求項７に記載の方法。
【請求項１１】
前記セル固有パラメータがＩｕｒインタフェース上で受信される、請求項１０に記載の方法。
【請求項１２】
前記第１のネットワークノード及び前記更に別のネットワークノードが無線ネットワークコントローラであり、前記セル固有パラメータが、Ｉｕｂインタフェース上で受信されて、前記ユーザ機器を制御する無線基地局を介して前記ユーザ機器に送信される、請求項１に記載の方法。
【請求項１３】
前記第１のネットワークノード及び前記更に別のネットワークノードがアクセスゲートウェイであり、前記セル固有パラメータが、前記アクセスゲートウェイに接続されたバックボーンネットワークを介して受信されて、前記ユーザ機器を制御する無線基地局を介して前記ユーザ機器に送信される、請求項１に記載の方法。
【請求項１４】
前記セル固有パラメータがＳ１インタフェース上で受信される、請求項１０に記載の方法。
【請求項１５】
無線通信ネットワークのネットワークノードのための方法であって、前記ネットワークノードが、少なくとも１つのセルにサービスするようになされ、かつ前記少なくとも１つのセルの１つに位置する少なくとも１つのユーザ機器を無線制御するようになされ、
前記ネットワークノードによってサービスされるセルに関連したセル固有パラメータを、前記ネットワークノードに接続移行されるユーザ機器を制御する更に別のネットワークノードに送信するステップ（３０４）であって、前記セル固有パラメータが、前記ネットワークノードによって制御される前記ユーザ機器の送信器の必要な追加最大電力低減に関連した情報を含み、前記更に別のネットワークノードが前記受信したセル固有パラメータを前記更に別のネットワークノードによって制御される前記ユーザ機器に伝送することを可能とし、更に、前記ユーザ機器が前記ネットワークノードに接続移行される場合に前記セル固有パラメータを用いることを可能とする、ステップ、
を特徴とする、方法。
【請求項１６】
前記セル固有パラメータが接続移行関連パラメータと共に送信される、請求項１５に記載の方法。
【請求項１７】
前記ネットワークノードが無線基地局である、請求項１５から１６のいずれかに記載の方法。
【請求項１８】
前記更に別のネットワークノードが無線基地局である、請求項１５から１７のいずれかに記載の方法。
【請求項１９】
前記セル固有パラメータがＸ２インタフェース上で前記更に別の無線基地局に送信される、請求項１８に記載の方法。
【請求項２０】
前記ネットワークノードがゲートウェイであり、前記セル固有パラメータが更に別のゲートウェイを介して前記ユーザ機器を制御する前記ネットワークノードに送信される、請求項１５から１６のいずれかに記載の方法。
【請求項２１】
無線通信ネットワークのネットワークノードであって、前記ネットワークノード（１３０ｂ）が、少なくとも１つのセルにサービスするようになされ、かつ前記少なくとも１つのセルの１つに位置する少なくとも１つのユーザ機器（１５０）を無線制御するようになされ、
更に別のネットワークノード（１３０ａ）にサービスされるセルに関連したセル固有パラメータを受信する（２０３）ための手段であって、前記セル固有パラメータ（２０２）が、前記ネットワークノード（１３０ｂ）によって制御されるユーザ機器の送信器の必要な追加最大電力低減に関連した情報を含む、手段と、
前記受信したセル固有パラメータ（２０２）を、前記ネットワークノード（１３０ｂ）によって制御される前記ユーザ機器（１５０）に送信する（２０５）ための手段であって、前記ユーザ機器（１５０）が前記更に別のネットワークノード（１３０ａ）に接続移行される場合に前記セル固有パラメータ（２０２）を用いることを可能とするための手段と、
を特徴とする、ネットワークノード。
【請求項２２】
前記ネットワークノードが無線基地局（１３０ｂ）である、請求項２１に記載のネットワークノード。
【請求項２３】
前記セル固有パラメータを前記ユーザ機器（１５０）に送信する場合に、前記受信したセル固有パラメータ（２０２）をシステム情報に含ませる（２０４）ための手段を含む、請求項２２に記載のネットワークノード。
【請求項２４】
前記更に別のネットワークノードが無線基地局（１３０ａ）である、請求項２１から２３のいずれかに記載のネットワークノード。
【請求項２５】
前記セル固有パラメータ（２０２）がＸ２インタフェース（１２０）上で更に別の無線基地局（１３０ａ）から受信される、請求項２４に記載のネットワークノード。
【請求項２６】
前記セル固有パラメータ（２０２）がアクセスゲートウェイ（１００）を介して前記更に別のネットワーク（１３０ａ）ノードから受信される、請求項２４に記載のネットワークノード。
【請求項２７】
前記セル固有パラメータ（２０２）が無線ネットワークコントローラを介して前記更に別のネットワークノード（１３０ａ）から受信される、請求項２４に記載のネットワークノード。
【請求項２８】
前記セル固有パラメータ（２０２）がＩｕｒインタフェース上で受信される、請求項２７に記載のネットワークノード。
【請求項２９】
前記第１のネットワークノード及び前記更に別のネットワークノードが無線ネットワークコントローラであり、前記セル固有パラメータ（２０２）が、Ｉｕｂインタフェース上で受信されて、前記ユーザ機器を制御する無線基地局（１３０ｂ）を介して前記ユーザ機器（１５０）に送信される、請求項２１に記載のネットワークノード。
【請求項３０】
前記第１のネットワークノード及び前記更に別のネットワークノードがアクセスゲートウェイであり、前記セル固有パラメータ（２０２）が、前記アクセスゲートウェイ（１００）に接続されたバックボーンネットワークを介して受信されて、前記ユーザ機器（１５０）を制御する無線基地局（１３０ｂ）を介して前記ユーザ機器（１５０）に送信される、請求項２１に記載のネットワークノード。
【請求項３１】
前記セル固有パラメータ（２０２）がＳ１インタフェース（１１０）上で受信される、請求項２６に記載のネットワークノード。
【請求項３２】
無線通信ネットワークのネットワークノードであって、前記ネットワークノードが、少なくとも１つのセルにサービスするようになされ、かつ前記少なくとも１つのセルの１つに位置する少なくとも１つのユーザ機器を無線制御するようになされ、
前記ネットワークノードによってサービスされるセルに関連したセル固有パラメータ（２０２）を、前記ネットワークノードに接続移行されるユーザ機器（１５０）を制御する更に別のネットワークノードに送信する（２０１）ための手段であって、前記セル固有パラメータ（２０２）が、前記更に別のネットワークノードによって制御されるユーザ機器（１５０）の送信器の必要な追加最大電力低減に関連した情報を含み、前記更に別のネットワークノードが前記受信したセル固有パラメータ（２０２）を前記更に別のネットワークノードによって制御される前記ユーザ機器（１５０）に伝送することを可能とし、更に、前記ユーザ機器（１５０）が前記更に別のネットワークノードに接続移行される場合に前記セル固有パラメータ（２０２）を用いることを可能とする、手段、
を特徴とする、ネットワークノード。
【請求項３３】
前記セル固有パラメータが接続移行関連パラメータと共に送信される、請求項３２に記載のネットワークノード。
【請求項３４】
前記ネットワークノードが無線基地局（１３０ａ）である、請求項３２から３３のいずれかに記載のネットワークノード。
【請求項３５】
前記更に別のネットワークノードが無線基地局（１３０ｂ）である、請求項３２から３４のいずれかに記載のネットワークノード。
【請求項３６】
前記セル固有パラメータ（２０２）がＸ２インタフェース（１２０）上で前記更に別の無線基地局（１３０ｂ）に送信される、請求項３５に記載のネットワークノード。
【請求項３７】
前記ネットワークノードがゲートウェイ（１００）であり、前記セル固有パラメータ（２０２）が更に別のゲートウェイを介して前記ユーザ機器（１５０）を制御する前記ネットワークノード（１３０ｂ）に送信される、請求項３２に記載のネットワークノード。
【発明の詳細な説明】
【技術分野】
【０００１】
本発明は、電気通信システムにおける方法及び設備に関し、具体的には、無線電気通信システムにおける接続移行に関連付けたＡ−ＭＰＲ関連情報を提供するための方法及び設備に関する。
【背景技術】
【０００２】
ユニバーサル移動体電気通信システム（ＵＭＴＳ：Universal Mobile Telecommunication System）地上波無線アクセスネットワーク（ＵＴＲＡＮ：Terrestrial Radio Access Network）は、ＧＳＭの後に続くように設計された、第３世代（３Ｇ）移動体通信技術の１つであるＵＭＴＳシステムの無線ネットワークである。ＵＴＲＡＮは、基礎にある無線インタフェースとしてＷ−ＣＤＭＡを用いる。
【０００３】
進化型ＵＭＴＳ地上波無線アクセスネットワーク（Ｅ−ＵＴＲＡ：Evolved UMTS Terrestrial Radio Access Network）は、ＬＴＥ（Long Term Evolution）とも称されるものであり、３ＧＰＰ（３rd Generation Partnership Project）内のプロジェクトである３ＧＰＰ  ＬＴＥによって標準化され、ユニバーサル移動体電気通信システム（ＵＭＴＳ）規格を、高速パケットアクセス機能によって改良して、データレートの高速化、効率の向上、コスト削減等のサービス改善に関する将来の要求に対処するものである。
【０００４】
Ｅ−ＵＴＲＡＮは、典型的に、図１ａに示すような無線基地局１３０ａ〜ｃに無線接続されたユーザ機器（ＵＥ）１５０を含む。Ｅ−ＵＴＲＡにおいて、無線基地局１３０ａ〜ｃは、Ｓ１インタフェース１１０によって、例えばａＧＷを介してコアネットワーク（ＣＮ）１００に直接接続されている。更に、無線基地局は、Ｘ２インタフェース１２０を介して相互に接続されている。これに対して、ＵＴＲＡネットワークにおいては、無線基地局１３０ａ〜ｂは無線ネットワークコントローラ１０５を介してＣＮ１００に接続され、各ＲＮＣ１０５は接続された無線基地局１３０ａ〜ｂを制御する。図１ｂに示すように、無線基地局１３０ａ〜ｂはＩｕｂインタフェース１０６を介してＲＮＣ１０５に接続され、無線ネットワークコントローラはＩｕｒインタフェース１０７を介して相互に接続されている。無線基地局は通常、ＵＴＲＡＮにおいてはＮｏｄｅＢと、Ｅ−ＵＴＲＡＮにおいてはｅＮｏｄｅＢと称される。
【０００５】
Ｅ−ＵＴＲＡＮにおいては、ダウンリンクで直交周波数分割多重アクセス（ＯＦＤＭＡ）技術が用いられ、アップリンクで単一搬送波周波数分割多重アクセス（ＳＣ−ＦＤＭＡ）が用いられる。アップリンク及びダウンリンクの双方において、データ伝送はいくつかのサブストリームに分割され、各サブストリームは別個のサブキャリア上で変調される。ＯＦＤＭＡベースのシステムにおいては、例えば３ＧＰＰ  ＴＲ２５．８１４「Physical Layer Aspects for Evolved UTRA」に規定されているように、利用可能な帯域幅は、いくつかの物理的リソースブロック（ＲＢ）に細分される。この仕様では、リソースブロックは、時間及び周波数ドメインの双方で規定されている。現在の前提によれば、リソースブロックのサイズは、周波数及び時間ドメインにおいてそれぞれ１８０ＫＨｚ及び０．５ｍｓである。アップリンク及びダウンリンク伝送の全帯域幅は、２０ＭＨｚという大きさになる場合がある。
【０００６】
従って、Ｅ−ＵＴＲＡネットワークは、例えば１．４、３、５、１０、１５、２０ＭＨｚ等の広い帯域幅範囲で展開されることがある。一例として、１０ＭＨｚ帯域幅は５０のリソースブロックを含む。データ伝送のために、ネットワークは、アップリンク（ＵＬ）及びダウンリンク（ＤＬ）の双方において可変数のリソースブロックをＵＥに割り当てることができる。これによって、チャネル帯域幅をいっそう柔軟に用いることが可能となる。なぜなら、リソースブロックの割り当てが、伝送されるデータ量、現在の無線状況、ＵＥ機能、スケジューリング方式等に従って行われるからである。
【０００７】
別の重要な考慮すべき事項は、ｅＮｏｄｅＢと称される同一の無線基地局であっても、この無線基地局によって対応される多数のセルに異なる帯域幅が割り当てられる場合があることである。最も典型的なのは、全てのｅＮｏｄｅＢが同一搬送周波数上で同一の帯域幅で動作するという場合である。しかしながら、更に、例えばある組のｅＮｏｄｅＢでは１０ＭＨｚのセルであり別の組のＮｏｄｅＢでは１５ＭＨｚのセルであるというように、異なるｅＮｏｄｅＢが同一搬送波上で異なる帯域幅を有する場合がある。この設備において、最も典型的なのは、連続した１群のｅＮｏｄｅＢが、ある帯域幅（例えば１０ＭＨｚ）で動作するのに対し、別の群の連続したｅＮｏｄｅＢが、別の帯域幅（例えば５ＭＨｚ）で動作するという状況である。このため、これらの群の境界領域において少なくとも隣接したｅＮｏｄｅＢは、異なる帯域幅で動作している。
【０００８】
ＵＥ及び無線基地局は、例えばＩＴＵ−Ｒ、ＦＣＣ、ＡＲＩＢ、ＥＴＳＩ等の規制団体によって設定された、ある数の帯域外（ＯＯＢ：out-of-band）エミッション要件（emission requirements）を満足しなければならない。従って、帯域外エミッション要件は、規制無線要件とも称される。帯域外要件の目的は、隣接する搬送波まで動作帯域外の（ＵＥ又は無線基地局の）送信器によって生じる干渉を制限することである。帯域外要件は、ＵＴＲＡについては３ＧＰＰ仕様ＴＳ２５．１０１及び３ＧＰＰ  ＴＳ２５．１０４に、Ｅ−ＵＴＲＡについては３ＧＰＰ仕様ＴＳ３６．１０１及び３ＧＰＰ  ＴＳ３６．１０４において規定されている。帯域外要件は、典型的に、隣接チャネル漏れ比（ＡＣＬＲ）、スペクトルエミッションマスク（ＳＥＭ）、及びスプリアスエミッションを含む。これらの要件の具体的な規定は、システムごとに異なる場合があることに留意すべきである。更に、帯域外エミッション要件は、ＵＴＲＡにおいてはスロットベースで、Ｅ−ＵＴＲＡにおいてはサブフレームベースで満足させなければならない。
【０００９】
帯域外エミッション要件を満足させるために、最大電力低減（ＭＰＲ：maximum power reduction）という概念が導入されている。ＵＥ及び無線基地局の双方は、それらの伝送電力レベルとは無関係に帯域外エミッション要件を満足させなければならない。ＵＥがそのバッテリ電力を節電する必要がある場合、電力増幅器（ＰＡ）の効率は極めて重大である。従って、典型的に、ある典型的な動作点又は構成について効率的なＰＡを設計して、ＰＡが線形ゾーンで動作するようにする。これは、例えば変調タイプ、アクティブＲＢの数（Ｅ−ＵＴＲＡの場合）、コードチャネル数／拡散率（ＵＲＴＡの場合）を選択することを意味する。しかしながら、ＵＥは、変調やリソースブロック等のいずれかの組み合わせを用いて伝送しなければならない場合がある。従って、いくつかのＵＬ伝送状況においては、ＵＥの電力増幅器が線形ゾーンで動作することができず、このため高調波による帯域外エミッションが生じることがある。全ての可能なＵＬ伝送構成についてＵＥが帯域外要件を満足させることを確実とするために、ＵＥは、その最大電力に達するいくつかの状況において、その最大ＵＬ伝送電力を低減することができる。これは、最大電力低減と呼ばれ、又は、ＵＥ電力バックオフと称される場合がある。例えば、２４ｄＢｍ電力クラスの最大伝送電力を有するＵＥは、その構成に応じて、２４ｄＢｍから２３又は２２ｄＢｍまでその最大電力を低減することができる。
【００１０】
また、無線基地局はＭＰＲを実行しなければならない場合があるが、無線基地局は、もっと大きい動作範囲を有するＰＡを有することが可能であり得る。なぜなら、その効率はＵＥのものに比べて重要性が低いからである。
【００１１】
異なる構成についてのＭＰＲ値は、規格において概ね充分に規定されている。対応する構成のための条件が満足された場合に、ＵＥは、これらの規定値を用いてＭＰＲを適用する。これらのＭＰＲ値は、リソースブロック割り当て及び他の展開の態様とは無関係であるという意味で、静的と考えられる。
【００１２】
ＵＴＲＡＮにおいて、ＵＥのためのＭＰＲ要件は、高速専用物理制御チャネル（ＨＳ−ＤＰＣＣＨ：High Speed Dedicated Physical Control Channel）伝送に関する構成のための３ＧＰＰ仕様３ＧＰＰ  ＴＳ２５．１０１のリリース５に規定されている。同様に、ＭＰＲは、１６ＱＡＭ変調を用いるか又は用いない拡張専用チャネル（Ｅ−ＤＣＨ：enhanced Dedicated Channel）を用いた構成についても規定されている。ＵＴＲＡＮにおいて、最大ＭＰＲは、３ｄＢまで又はそれ以上に高い場合がある。しかしながら、実際の値は、符号化、拡散率、変調、物理チャネル、及びそれらの利得率等を含む特定のアップリンク伝送構成に依存する。Ｅ−ＵＴＲＡにおいては、ＵＥのためのＭＰＲ要件は、３ＧＰＰ  ＴＳ３６．１０１に規定されている。ＴＳ３６．１０１では、ＭＰＲは、帯域幅、変調等のファクタに依存する。
【００１３】
上述のＭＰＲパラメータの他に、Ｅ−ＵＴＲＡのための追加ＭＰＲ（Ａ−ＭＰＲ：additional MPR）と表される更に別のパラメータが規定される。Ａ−ＭＰＲはＭＰＲとして静的ではない。すなわちＡ−ＭＰＲは、異なるセル間で、及び動作周波数帯間で、更に、異なる位置領域に属するセル間で、変動する場合がある。Ａ−ＭＰＲは、帯域幅、周波数帯、リソースブロック割り当て、及び、地域の規制団体、連邦通信委員会（ＦＣＣ：Federal Communications Commission）、ＡＲＩＢ、電波産業会（ＡＲＩＢ：Association of Radio Industries and Businesses）によって設定された要件等のファクタの根拠となるのに必要な（上述のＭＰＲの他の）全ての残りの電力低減を含む。
【発明の概要】
【発明が解決しようとする課題】
【００１４】
可変帯域幅、様々な数のリソースブロック割り当て、異なるネットワーク部分における異なる周波数帯等のようなファクタのために、ｅＮｏｄｅＢごとに変動し得る規制要件を満足させるようにＡ−ＭＰＲを規定する必要がある。用いる周波数帯、帯域幅サイズ等に関する展開状況が、大きいカバレージエリア内で均一である場合、これらのカバレージエリア間には常に境界領域がある。Ａ−ＭＰＲはセルに固有の値であるので、Ａ−ＭＰＲをシステム情報に含ませることによって、Ａ−ＭＰＲをＵＥに信号伝送することが認められる。システム情報は、アイドルモードでＵＥのための同報通信チャネル上で、又は接続モードでＵＥのためのＵＥ固有チャネル（例えば共有チャネル）上でのいずれかで送信される。システム情報は、セルリソースに対するアクセスや接続移行の実行等のためにＵＥが必要とする全ての必要な情報を含む。従って、ＵＥは、Ａ−ＭＰＲが特定のセル上にある場合にその特定セルのためのＡ−ＭＰＲを獲得することができるだけである。ＵＥは、帯域外要件を満足させるためにアップリンクで伝送を開始した場合にＡ−ＭＰＲを必要とする。
【００１５】
ＵＥがサービス中の（serving cell）からターゲットセルに接続移行を実行しようとする場合、ＵＥはサービス中のセルのシステム情報を獲得することができるだけである。従って、ＵＥはターゲットセルのＡ−ＭＰＲを受信することがなく、この結果、ＵＥは、ターゲットセルにおいてアップリンク伝送を開始する場合に帯域外要件を満足することができない場合がある。
【課題を解決するための手段】
【００１６】
本発明の目的は、ＵＥが接続移行を実行する場合に帯域外要件を満足させることを可能とする方法及び設備を達成することである。
【００１７】
本発明の第１の態様によれば、無線通信ネットワークのネットワークノードのための方法が提供される。ネットワークノードは、少なくとも１つのセルにサービスするようになされ、かつこの少なくとも１つのセルの１つに位置する少なくとも１つのＵＥを無線制御するようになされている。この方法においては、更に別のネットワークノードにサービスされるセルに関連したセル固有パラメータが受信される。セル固有パラメータは、前記ネットワークノードによって制御されるＵＥの送信器の必要な追加最大電力低減に関連した情報を含む。更に、受信したセル固有パラメータを、前記ネットワークノードによって制御されるＵＥに送信する。従って、ＵＥは、更に別のネットワークノードに接続移行される場合に、セル固有パラメータを用いることができる。
【００１８】
本発明の第２の態様によれば、無線通信ネットワークのネットワークノードのための更に別の方法が提供される。ネットワークノードは、少なくとも１つのセルにサービスするようになされ、かつこの少なくとも１つのセルの１つに位置する少なくとも１つのＵＥを無線制御するようになされている。この方法においては、ネットワークノードによってサービスされるセルに関連したセル固有パラメータを、前記ネットワークノードに接続移行されるＵＥを制御する更に別のネットワークノードに送信する。セル固有パラメータは、前記ネットワークノードによって制御されるＵＥの送信器の必要な追加最大電力低減に関連した情報を含む。更に別のネットワークノードは、受信したセル固有パラメータを、更に別のネットワークノードによって制御されるＵＥに伝送することが可能であり、更に、ＵＥは、記ネットワークノードに接続移行される場合にセル固有パラメータを用いることが可能である。
【００１９】
本発明の第３の態様によれば、無線通信ネットワークのネットワークノードが提供される。ネットワークノードは、少なくとも１つのセルにサービスするようになされ、かつこの少なくとも１つのセルの１つに位置する少なくとも１つのＵＥを無線制御するようになされている。ネットワークノードは、更に別のネットワークノードにサービスされるセルに関連したセル固有パラメータを受信するための手段を含む。セル固有パラメータは、前記ネットワークノードによって制御されるＵＥの送信器の必要な追加最大電力低減に関連した情報を含む。更に、これは、受信したセル固有パラメータを、前記ネットワークノードによって制御されるＵＥに送信するための手段を含む。これは、ＵＥが、更に別のネットワークノードに接続移行される場合に、セル固有パラメータを使用可能であることを意味する。
【００２０】
本発明の第４の態様によれば、無線通信ネットワークのネットワークノードが提供される。ネットワークノードは、少なくとも１つのセルにサービスするようになされ、かつこの少なくとも１つのセルの１つに位置する少なくとも１つのＵＥを無線制御するようになされている。ネットワークノードは、ネットワークノードによってサービスされるセルに関連したセル固有パラメータを、前記ネットワークノードに接続移行されるＵＥを制御する更に別のネットワークノードに送信するための手段を含む。セル固有パラメータは、前記更に別のネットワークノードによって制御されるＵＥの送信器の必要な追加最大電力低減に関連した情報を含む。そして、更に別のネットワークノードは、受信したセル固有パラメータを、更に別のネットワークノードによって制御されるＵＥに伝送することが可能となり、更に、ＵＥは、更に別のネットワークノードに接続移行される場合に、セル固有パラメータを用いることが可能となる。
【００２１】
本発明の実施形態による利点は、これによって、規制要件を満足させるためにＵＥが過大なＡ−ＭＰＲを適用する必要がないことが確実となることである。
【００２２】
更に別の利点は、本発明の実施形態によって、接続移行アクセスが改善され、接続移行において不必要な帯域外エミッションが低減することである。
【００２３】
本発明の実施形態の更に別の利点は、ターゲットセルにおいて必要なＡ−ＭＰＲを獲得するためにＵＥがターゲットセルのシステム情報を読み取る必要がなく、そのためＵＥの複雑さが軽減されることである。
【００２４】
更に別の利点は、本発明の実施形態は、ノードＢのインストールが静的でない場合に自己組織化ネットワーク及びユーザ展開に適用可能であることである。
【００２５】
添付図面を参照して、以下で本発明において更に詳細に説明する。
【図面の簡単な説明】
【００２６】
【図１ａ】本発明を実施することができる無線通信ネットワークを示す。
【図１ｂ】本発明を実施することができる無線通信ネットワークを示す。
【図２】本発明の実施形態に従った設備を示す。
【図３ａ】本発明の実施形態に従った方法のフローチャートを示す。
【図３ｂ】本発明の実施形態に従った方法のフローチャートを示す。
【発明を実施するための形態】
【００２７】
以下の説明において、限定でなく説明の目的のため、本発明の完全な理解を与えるために、特定のステップシーケンス、信号伝送プロトコル、及びデバイス構成等の特定の詳細事項を述べる。これらの特定の詳細から逸脱する他の実施形態において本発明を実施可能であることは、当業者には明らかであろう。
【００２８】
更に、本明細書において以下に説明する機能及び手段は、プログラムされたマイクロプロセッサ又は汎用コンピュータに関連付けて、及び／又は特定用途向け集積回路（ＡＳＩＣ）を用いて、ソフトウェア機能を用いて実施可能であることは、当業者には認められよう。また、本発明は主に方法及びデバイスの形態で記載するが、本発明は、コンピュータプログラム製品、ならびに、コンピュータプロセッサ及びプロセッサに結合されたメモリを含むシステムにおいて具現化することができ、この場合、メモリは、本明細書に開示した機能を実行することができる１つ以上のプログラムによって符号化されることは認められよう。
【００２９】
サービス中のセルによって制御されるＵＥが、サービス中のセルのセル境界に向かって移動し、不良チャネル状況を経験すると、ターゲットセルへの接続移行がトリガされる。ＵＥは、サービス中のセルを介して接続移行コマンドを受信する。コマンドは、ＵＥが接続移行を実行するべきであるターゲットセルをＵＥに対して示す。接続移行コマンドが受信されると、ＵＥはターゲットセルにおける伝送を開始する。ＵＥが規制要件に反しないことを確実とするためには、ターゲットセルにおける伝送の開始から、ターゲットセルにおいて必要なＡ−ＭＰＲの正しい値を用いなければならない。
【００３０】
本発明のアイディアは、ネットワークノード間で、ＵＥ送信器の必要な追加最大電力低減に関する情報を含む、Ａ−ＭＰＲ等のセルに固有のパラメータを交換することである。ネットワークノードは、無線基地局か、又は、アクセスゲートウェイ（ａＧＷ）によって例示される無線ネットワークコントローラもしくはコアネットワークノード等の他のネットワークノードとすることができる。ネットワークノード間で、必要な追加最大電力低減の情報を有するこのセルに固有のパラメータを交換することによって、セル固有パラメータはサービス中のセルの無線基地局に提供され、これは、サービス中のセルからターゲットセルへの接続移行の前にサービス中のセルがＵＥに対してターゲットセルのセル固有パラメータを送信可能であることを示す。この結果、ＵＥは正しいセル固有パラメータによってターゲットセルへの伝送を開始することができ、ターゲットセルにおいて帯域外エミッション要件を満足させることができる。また、セル固有パラメータは、Ａ−ＭＰＲ関連情報とも称され、Ａ−ＭＰＲパラメータとすることも可能である。
【００３１】
本発明はＥ−ＵＴＲＡに関連付けて説明するが、関連情報を有するセル固有パラメータを交換するというアイディアは、ターゲットセルにおいて伝送を行う場合にＵＥによって用いられる必要な追加最大電力低減のセル固有情報が接続移行の前に必要となる他のいずれのシステムにも適用可能である。例えばＵＴＲＡにおいて、このタイプの情報は、一実施形態に従って、Ｉｕｂ（ＮｏｄｅＢとＲＮＣとの間）及びＩｕｒインタフェース（ＲＮＣ間）等のインタフェース上で交換される。このため、サービス中の無線基地局は、ターゲットの無線基地局から、無線ネットワークコントローラを介してセル固有パラメータを受信するように構成されている。
【００３２】
第１の実施形態によれば、必要な追加最大電力低減の情報を有するセル固有パラメータ２０２が、Ｘ２インタフェース１２０上で交換される。図２に示すように、Ｘ２インタフェース１２０は、無線基地局１３０ａ、１３０ｂ間のインタフェースである、すなわち、サービス中のセルの無線基地局１３０ｂが、ターゲットセル１３０ａから、Ｘ２インタフェース１２０上で、ターゲットセルのセル固有パラメータ２０２を受信する。従って、サービス中のセルの無線基地局１３０ｂは、セル固有パラメータ２０２を受信するように構成され（２０３）、それをシステム情報に含めるように構成されている（２０４）。更に、無線基地局１３０ｂは、ターゲットセル１３０ａへの接続移行（矢印によって示す）を実行するＵＥ１５０にそれを送信するように構成されている（２０５）。各無線基地局は、各無線基地局がサービスするセルの必要な追加最大電力低減を認識し、このため、本発明の各基地局は、セル固有パラメータを別の無線基地局に送信する（２０１）ように構成されている。更に、サービス中の無線基地局は、ＵＥに対する接続移行の前に、ターゲットセルのセル固有パラメータを提供する（２０５）ように構成されている。
【００３３】
第２の実施形態によれば、必要な追加最大電力低減の情報を有するセル固有パラメータ２０２が、Ｓ１インタフェース１１０上で交換される。すなわち、サービス中のセルの無線基地局１３０ｂは、ターゲットセル１３０ａからＳ１インタフェース１１０上で、例えばａＧＷのようなコアネットワークノード１００を介してターゲットセル１３０ａからターゲットセルのセル固有パラメータ２０２を受信する。この解決策が特に有用であるのは、無線基地局が、例えばいくつかの境界エリアにおいてＸ２インタフェース上で相互に直接通信を行うことができず、基地局が異なるＡＷＧに接続されている場合である。別のそのような状況は、基地局が国境にあるが、同一のサービスプロバイダによって動作される場合である。
【００３４】
Ａ−ＭＰＲ要件等の必要な追加最大電力低減に関して均一な無線基地局を有するカバレージエリアがある場合、隣接する不均一なカバレージエリア間の上述のセル固有パラメータは、Ｓ１インタフェース１１０を用いてａＧＷを介して伝送することができる。
【００３５】
第３の実施形態によれば、セル固有パラメータは、Ｉｕｒインタフェース又はネットワークノード間のインタフェース上で伝送され、この場合、ネットワークノードは、ＵＴＲＡＮにおけるネットワークコントローラ（ＲＮＣ）又はＥ−ＵＴＲＡＮにおけるアクセスゲートウェイ１００である。Ｉｕｒインタフェースによって異なるＲＮＣを接続し、ＩＰバックボーン（図２には示していない）を用いて異なるａＧＷを接続する。従って、Ａ−ＭＰＲを異なるアクセスゲートウェイ間で交換して、各無線基地局を通して送信することができる。
【００３６】
以下で、第１、第２、及び第３の実施形態について更に論じる。１つの代替案によれば、必要な追加最大電力低減の情報を有するセル固有パラメータを受信するネットワークノードによって、セル固有パラメータはトランスペアレントに受信される。更に別の代替案によれば、セル固有パラメータを受信するネットワークノードによって、セル固有パラメータはバックグラウンドプロセスによって受信される。
【００３７】
前回ターゲットセルがセル固有パラメータを伝達した時から最大電力低減が不変である場合、セル固有パラメータはフラグビットによって表すことができる。セル固有パラメータがネットワークノード間で送信される場合、パラメータは、ターゲットセルにおいて用いられるランダムアクセスチャネルの転送フォーマットや電力制御関連パラメータ等の接続移行関連パラメータと共に伝送される。更に、ターゲット無線基地局に関連付けられたセル固有パラメータがサービス中の無線基地局によってＵＥに送信される場合、パラメータはシステム情報に含ませることができる。すなわち、無線基地局は、セル固有パラメータをシステム情報に含ませるための手段を含む。
【００３８】
Ａ−ＭＰＲ値によって示される必要な追加最大電力低減のセル固有の値が、異なる隣接無線基地局で異なる場合であっても、それらは静的又は変化の頻度が極めて低い可能性がある。しかしながら、このタイプの静的又は半静的Ａ−ＭＰＲ状況においてさえ、これらのＡ−ＭＰＲ値をＸ２又は／及びＳ１インタフェース等のインタフェース上で交換して、オペレータがそのネットワークを変更、ダウングレード（downgrade）、又はアップグレードする場合に手作業で構成を行う必要をなくすことが有利であろう。これは、ある意味で、自己組織化ネットワーク（ＳＯＮ）概念及びユーザ展開状況の一部である。例えば他のいずれかの理由による可変リソースブロック割り当てのために、Ａ−ＭＰＲ値が動的である場合には、Ａ−ＭＰＲを、Ｘ２上で又は他のいずれかの必要なネットワークインタフェース上で、もっと頻繁に交換する必要がある。
【００３９】
従って、無線通信ネットワークのネットワークノードのための方法であって、第１のネットワークノードが、少なくとも１つのセルにサービスするようになされ、かつこの少なくとも１つのセル内に位置する少なくとも１つのユーザ機器ＵＥを無線制御するようになされ、このＵＥは第２のセルに接続移行される。
【００４０】
一実施形態によれば、図３ａのフローチャートによって例示されるように、サービス中のセルの第１のネットワークノードのための方法は以下のステップを含む。
【００４１】
３０１．第２のネットワークノードによってサービスされるセルに関連付けられたＡ−ＭＰＲ関連情報を受信する。Ａ−ＭＰＲ関連情報は、第１のネットワークノードによって制御されるＵＥの送信器の必要な追加最大電力低減に関連する情報を含む。
【００４２】
３０２．Ａ−ＭＰＲ関連情報をシステム情報に含ませる。
【００４３】
３０３．システム情報に含まれたＡ−ＭＰＲ関連情報を、前記ネットワークノードによって制御されるＵＥに伝送して、ＵＥが第２のネットワークノードに接続移行する場合にセル固有パラメータを用いることを可能とする。
【００４４】
一実施形態によれば、図３ｂに示されるように、ターゲットセルの第２のネットワークノードのための方法は、以下のステップを含む。
【００４５】
３０４．前記ネットワークノードに接続移行されるＵＥを制御する第１のネットワークノードに、Ａ−ＭＰＲ関連情報を伝送する。Ａ−ＭＰＲ関連情報は、前記ネットワークノードによって制御されるＵＥの送信器の必要な追加最大電力低減に関連した情報を含み、第１のネットワークノードが受信したセル固有パラメータを更に別のネットワークノードによって制御されるＵＥに伝送することができ、更に、ＵＥが第１のネットワークノードに接続移行される場合にセル固有パラメータを使用可能となっている。
【００４６】
無線基地局が、第１及び第２のネットワークノードの双方として機能するように構成されており、これは、無線基地局が一実施形態による３０１〜３０４のステップ全てを実行するように構成されていることを意味することに留意すべきである。
【００４７】
本発明について、特定の実施形態（いくつかのデバイス構成及び様々な方法におけるいくつかのステップ順序を含む）に関して記載したが、本発明は、本明細書に記載し図示した特定の実施形態に限定されないことは、当業者には認められよう。従って、本開示は単に例示に過ぎないことは理解されよう。従って、本発明は、添付の特許請求範囲によってのみ限定されることが意図される。
【図１ｂ】
2011501503.tif 000003
【図１ａ】
2011501503.tif 000004
【図２】
2011501503.tif 000005
【図３ａ】
2011501503.tif 000006
【図３ｂ】
2011501503.tif 000007
【国際調査報告】
2011501503.tif 000008
2011501503.tif 000009
2011501503.tif 000010
2011501503.tif 000011